(57)【要約】【課題】シャドーイングで遅延プロファイルが変動した場合にも迅速に元のパスが選択できるようにすること。【解決手段】遅延プロファイル平均化制御部１０７は、受信ＳＩＲ測定部１０６にて測定された受信ＳＩＲの劣化量が閾値を超えたとき、またはその後受信ＳＩＲが劣化前とほぼ同等の値に戻ったとき、遅延プロファイル平均化部１０３に対し平均化する遅延プロファイル平均化量を小さくさせる制御を行う。その結果、シャドーイングで受信ＳＩＲが急激に小さくなった場合に遅延プロファイル平均化量を小さくするので、シャドーイング後のパスを割り当てまでの時間を短縮し正しいパスを早く再選択することができ、受信信号の誤り量を削減することができる。【選択図】　　　図１
2004080303.tif 000002
【特許請求の範囲】
【請求項１】
直接拡散された受信信号の遅延プロファイルを測定する遅延プロファイル測定手段と、前記遅延プロファイル測定手段にて測定された遅延プロファイルを平均化する遅延プロファイル平均化手段と、前記遅延プロファイルからパスを選択するパス選択手段とを備えるＣＤＭＡ受信装置において、受信ＳＩＲの劣化量が閾値を超えたとき、またはその後受信ＳＩＲが劣化前とほぼ同等の値に戻ったとき、前記遅延プロファイル平均化手段に対し平均化する遅延プロファイル平均化量を小さくさせる制御を行う遅延プロファイル平均化制御手段と、を具備することを特徴とするＣＤＭＡ受信装置。
【請求項２】
前記遅延プロファイル平均化制御手段は、前記パス選択手段にて削除されたパスの位相を検出し、前記遅延プロファイル平均化手段に対し前記検出したパス位相に対応する遅延プロファイルの平均化量を小さくさせる制御を行うことを特徴とする請求項１記載のＣＤＭＡ受信装置。
【請求項３】
パス選択手段にて選択されたパスの中で遅延プロファイルの相関値が最大のパスあるいは相関値が閾値以上のパスを有効パスとして判定する有効パス判定手段を具備し、前記遅延プロファイル平均化制御手段は、有効パスが前記パス選択手段にて削除された場合、前記遅延プロファイル平均化手段に対し前記削除された有効パスの位相に対応する遅延プロファイルの平均化量を小さくさせる制御を行うことを特徴とする請求項１又は請求項２記載のＣＤＭＡ受信装置。
【請求項４】
前記遅延プロファイル平均化制御手段は、受信ＳＩＲの劣化量が閾値を超えた場合に前記パス選択手段にて削除されたパスの位相を検出し、前記遅延プロファイル平均化手段に対し前記検出したパス位相に対応する遅延プロファイルの平均化量を小さくさせる制御を行うことを特徴とする請求項１から請求項３のいずれかに記載のＣＤＭＡ受信装置。
【請求項５】
直接拡散された受信信号の遅延プロファイルを測定する遅延プロファイル測定手段と、前記遅延プロファイルからパスを選択するパス選択手段とを備えるＣＤＭＡ受信装置において、前記パス選択手段にてパス割り当てが行われるまで後方保護を設けるパス選択保護手段と、前記パス選択手段にて削除されたパスの位相を検出し、その削除されたパスと同一位相のパスが選択されたとき、前記パス選択保護手段に対し保護段数を小さくさせる制御を行う保護段数制御手段と、を具備することを特徴とするＣＤＭＡ受信装置。
【請求項６】
パス選択手段にて選択されたパスの中で遅延プロファイルの相関値が最大のパスあるいは相関値が閾値以上のパスを有効パスとして判定する有効パス判定手段を具備し、前記保護段数制御手段は、有効パスが前記パス選択手段にて削除された場合、前記パス選択保護手段に対し保護段数を小さくさせる制御を行うことを特徴とする請求項５記載のＣＤＭＡ受信装置。
【請求項７】
前記保護段数制御手段は、受信ＳＩＲの劣化量が閾値を超えた場合に前記パス選択手段にて削除されたパスの位相を検出し、その削除されたパスと同一位相のパスが選択されたとき、前記パス選択保護手段に対し保護段数を小さくさせる制御を行うことを特徴とする請求項５又は請求項６記載のＣＤＭＡ受信装置。
【発明の詳細な説明】
【０００１】
【発明の属する技術分野】
本発明は、直接拡散符号分割多元接続（ＤＳ−ＣＤＭＡ）方式を用いたＣＤＭＡ受信装置に関する。
【０００２】
【従来の技術】
ＣＤＭＡ通信において受信機がレイク合成受信を行う場合には、電波の到来パスがいくつあるかを検出する必要がある。レイク合成に使用できる有効なパスは、遅延プロファイルを測定した結果よって割り当てられる。
【０００３】
従来では、遅延プロファイルからパスを割り当てる場合にフェージングなどによる影響を少なくするために遅延プロファイルを平均した結果を用いている。
【０００４】
【発明が解決しようとする課題】
しかしながら、従来の方法では、移動局が移動し一瞬ビル影などに入って一時的に遅延プロファイルが大きく変動した場合（以下「シャドーイング」と言う）に元のパスを割り当てるまでに時間がかかるという問題がある。
【０００５】
本発明は、かかる点に鑑みてなされたものであり、シャドーイングで遅延プロファイルが変動した場合にも迅速に元のパスが選択できるＣＤＭＡ受信装置を提供することを目的とする。
【０００６】
【課題を解決するための手段】
本発明のＣＤＭＡ受信装置は、直接拡散された受信信号の遅延プロファイルを測定する遅延プロファイル測定手段と、前記遅延プロファイル測定手段にて測定された遅延プロファイルを平均化する遅延プロファイル平均化手段と、前記遅延プロファイルからパスを選択するパス選択手段とを備えるＣＤＭＡ受信装置において、受信ＳＩＲの劣化量が閾値を超えたとき、またはその後受信ＳＩＲが劣化前とほぼ同等の値に戻ったとき、前記遅延プロファイル平均化手段に対し平均化する遅延プロファイル平均化量を小さくさせる制御を行う遅延プロファイル平均化制御手段と、を具備する構成を採る。
【０００７】
この構成によれば、シャドーイングで受信ＳＩＲが急激に小さくなった場合、またはその後回復したときに遅延プロファイル平均化量を小さくするので、元のパスを割り当てるまでの時間を短縮することができる。
【０００８】
また、本発明のＣＤＭＡ受信装置は、上記の発明において、前記遅延プロファイル平均化制御手段は、前記パス選択手段にて削除されたパスの位相を検出し、前記遅延プロファイル平均化手段に対し前記検出したパス位相に対応する遅延プロファイルの平均化量を小さくさせる制御を行う構成を採る。
【０００９】
この構成によれば、パスが削除されその後同一のパスが再選択される場合に、該当するパス位相の遅延プロファイル平均化量を小さくするので、パスを割り当てるまでの時間を短縮することができる。
【００１０】
また、本発明のＣＤＭＡ受信装置は、上記の発明において、パス選択手段にて選択されたパスの中で遅延プロファイルの相関値が最大のパスあるいは相関値が閾値以上のパスを有効パスとして判定する有効パス判定手段を具備し、前記遅延プロファイル平均化制御手段は、有効パスが前記パス選択手段にて削除された場合、前記遅延プロファイル平均化手段に対し前記削除された有効パスの位相に対応する遅延プロファイルの平均化量を小さくさせる制御を行う構成を採る。
【００１１】
この構成によれば、有効なパスが削除されその後同一のパスが再選択される場合に、該当するパス位相の遅延プロファイル平均化量を小さくするので、パスを割り当てるまでの時間を短縮することができる。
【００１２】
また、本発明のＣＤＭＡ受信装置は、上記の発明において、前記遅延プロファイル平均化制御手段は、受信ＳＩＲの劣化量が閾値を超えた場合に前記パス選択手段にて削除されたパスの位相を検出し、前記遅延プロファイル平均化手段に対し前記検出したパス位相に対応する遅延プロファイルの平均化量を小さくさせる制御を行う構成を採る。
【００１３】
この構成によれば、シャドーイングで受信ＳＩＲが急激に小さくなりパスが削除されその後同一のパスが再選択される場合に、該当するパス位相の遅延プロファイル平均化量を小さくするので、パスを割り当てるまでの時間を短縮することができる。
【００１４】
また、本発明のＣＤＭＡ受信装置は、直接拡散された受信信号の遅延プロファイルを測定する遅延プロファイル測定手段と、前記遅延プロファイルからパスを選択するパス選択手段とを備えるＣＤＭＡ受信装置において、前記パス選択手段にてパス割り当てが行われるまで後方保護を設けるパス選択保護手段と、前記パス選択手段にて削除されたパスの位相を検出し、その削除されたパスと同一位相のパスが選択されたとき、前記パス選択保護手段に対し保護段数を小さくさせる制御を行う保護段数制御手段と、を具備する構成を採る。
【００１５】
この構成によれば、パスが削除されその後同一のパスが再選択される場合に、該当するパス位相の後方保護段数を小さくするので、パスを割り当てるまでの時間を短縮することができる。
【００１６】
また、本発明のＣＤＭＡ受信装置は、上記の発明において、パス選択手段にて選択されたパスの中で遅延プロファイルの相関値が最大のパスあるいは相関値が閾値以上のパスを有効パスとして判定する有効パス判定手段を具備し、前記保護段数制御手段は、有効パスが前記パス選択手段にて削除された場合、前記パス選択保護手段に対し保護段数を小さくさせる制御を行う構成を採る。
【００１７】
この構成によれば、有効なパスが削除されその後同一のパスが再選択される場合に、該当するパス位相の後方保護段数を小さくすることによりパスを割り当てるまでの時間を短縮することができる。
【００１８】
また、本発明のＣＤＭＡ受信装置は、上記の発明において、前記保護段数制御手段は、受信ＳＩＲの劣化量が閾値を超えた場合に前記パス選択手段にて削除されたパスの位相を検出し、その削除されたパスと同一位相のパスが選択されたとき、前記パス選択保護手段に対し保護段数を小さくさせる制御を行う構成を採る。
【００１９】
この構成によれば、シャドーイングで受信ＳＩＲが急激に小さくなりパスが削除されその後同一のパスが再選択される場合に、該当するパス位相の後方保護段数を小さくするので、パスを割り当てるまでの時間を短縮することができる。
【００２０】
【発明の実施の形態】
本発明の骨子は、遅延プロファイルが大きく変動するシャドーイング時に、遅延プロファイル平均化量を小さくすることによって、元のパスを割り当てるまでの時間を短縮し、シャドーイング後に迅速に元の正しいパスを再選択できるようにし、受信信号の誤り量を削減することである。
【００２１】
以下、本発明の実施の形態について、図面を参照して詳細に説明する。
【００２２】
（実施の形態１）
図１は、本発明の実施の形態１に係るＣＤＭＡ受信装置の構成を示すブロック図である。図１に示すＣＤＭＡ受信装置１００は、受信アンテナ１０１と、マッチドフィルタ１０２と、遅延プロファイル平均化部１０３と、パス選択部１０４と、逆拡散部１０５と、受信ＳＩＲ測定部１０６と、遅延プロファイル平均化制御部１０７とを備えている。
【００２３】
受信アンテナ１０１での受信信号は、マッチドフィルタ１０２と逆拡散部１０５とに入力される。マッチドフィルタ１０２の出力は、遅延プロファイル平均化部１０３に入力される。遅延プロファイル平均化部１０３の出力は、パス選択部１０４に入力される。パス選択部１０４の出力は、逆拡散部１０５に入力される。逆拡散部１０５の出力は、受信ＳＩＲ測定部１０６に入力される。受信ＳＩＲ測定部１０６の出力は、遅延プロファイル平均化制御部１０７に入力される。遅延プロファイル平均化制御部１０７の出力は、遅延プロファイル平均化部１０３に入力される。
【００２４】
以上の構成において、マッチドフィルタ１０２は、受信開始時およびそれからある固定の周期にて、受信アンテナ１０１で受信される受信信号がとりうる範囲での全位相の受信信号と拡散コードとの相関を取り、遅延プロファイルを得る。
【００２５】
遅延プロファイル平均化部１０３は、マッチドフィルタ１０２にて求められた遅延プロファイルを平均化する際に、遅延プロファイル平均化制御部１０７から平均化量の指定があると、その指定された平均化量に基づき平均化する。
【００２６】
パス選択部１０４は、遅延プロファイル平均化部１０３にて平均化された遅延プロファイルから有効なパス位相を判定する。
【００２７】
逆拡散部１０５は、アンテナ１０１から入力される受信信号をパス選択部１０４にて判定された有効なパス位相で逆拡散する。
【００２８】
受信ＳＩＲ測定部１０６は、逆拡散部１０５にて逆拡散された受信信号から受信波レベルと干渉波レベルの比、即ち受信ＳＩＲを算出する。
【００２９】
遅延プロファイル平均化制御部１０７は、受信ＳＩＲ測定部１０６にて算出された受信ＳＩＲの劣化量がある閾値を超えた場合にシャドーイング状態と判定し、遅延プロファイルの平均化量を小さくさせる制御情報を遅延プロファイル平均化部１０３に出力する。
【００３０】
その結果、遅延プロファイル平均化部１０３では、シャドーイング時には遅延プロファイル平均化量を小さくするので、パス選択部１０４では、迅速に元の正しいパスが選択できることになる。
【００３１】
このように、本実施の形態１に係る受信装置１００によれば、シャドーイング時に遅延プロファイル平均化量を小さくするので、パスを割り当てるまでの時間を短縮することができる。したがって、シャドーイング後にすばやく正しいパスを再選択でき、受信信号の誤り量を削減することができる。
【００３２】
なお、遅延プロファイル平均化制御部１０７にて作成する平均化量を小さくさせる制御情報は、受信ＳＩＲ測定部１０６による受信ＳＩＲの劣化量がある閾値を超え、その後受信ＳＩＲがシャドーイング前とほぼ同等の値に戻った時を指定するとしても良い。この場合には、より正確にシャドーイング時を指令できるので、正しく遅延プロファイル平均化量を小さくすることができる、誤ったパス割り当てをする頻度を減少させることができる。
【００３３】
（実施の形態２）
図２は、本発明の実施の形態２に係るＣＤＭＡ受信装置の構成を示すブロック図である。なお、図２では、実施の形態１（図１）に示した構成と同一ないしは同等である構成部分には同一符号が付されている。また、実施の形態２と関わりのない構成は省略されている。ここでは、実施の形態２に関わる部分を中心に説明する。
【００３４】
図２に示すＣＤＭＡ受信装置２００では、実施の形態１（図１）に示した構成において、遅延プロファイル平均化部１０３に代えて遅延プロファイル平均化部２０１が設けられ、遅延プロファイル平均化制御部１０７に代えて遅延プロファイル平均化制御部２０２が設けられている。パス選択部１０４の出力は、遅延プロファイル平均化制御部２０２に入力されている。
【００３５】
以上の構成において、遅延プロファイル平均化部２０１は、マッチドフィルタ１０２にて求められた遅延プロファイルを平均化する際に、遅延プロファイル平均化制御部１０７からパス位相の指定があると、その指定されたパス位相に対応する遅延プルファイルの平均化量を小さくする。
【００３６】
遅延プロファイル平均化制御部２０２は、パス選択部１０４にて削除されたパスを検出し、一定時間そのパス位相情報を遅延プロファイル平均化部２０１に出力する。
【００３７】
その結果、遅延プロファイル平均化部２０１では、削除されたパスの遅延プロファイル平均化量を小さくするので、パス選択部１０４では、削除されたパスの再割り当てが迅速に行えるようになる。
【００３８】
このように、本実施の形態２に係るＣＤＭＡ受信装置２００によれば、削除されたパスの遅延プロファイル平均化量を小さくすることができるので、削除されたパスが再割り当てされた場合にパスを割り当てるまでの時間を短縮することができる。
【００３９】
（実施の形態３）
図３は、本発明の実施の形態３に係るＣＤＭＡ受信装置の構成を示すブロック図である。なお、図３では、実施の形態２（図２）に示した構成と同一ないしは同等である構成部分には同一符号が付されている。ここでは、実施の形態３に関わる部分を中心に説明する。
【００４０】
図３に示すＣＤＭＡ受信装置３００では、実施の形態２（図２）に示した構成において、有効パス判定部３０１が設けられ、それに伴い、遅延プロファイル平均化制御部２０２に代えて遅延プロファイル平均化制御部３０２が設けられている。即ち、有効パス判定部３０１は、この遅延プロファイル平均化制御部３０２とパス選択部１０４との間に設けられている。
【００４１】
以上の構成において、有効パス判定部３０１は、パス選択部１０４にて選択されたパスの中で遅延プロファイルの相関値が最大のパスまたは相関値がある閾値以上のパスの位相情報を一定時間保存し、パスが削除された場合にその削除されたパスの位相情報を遅延プロファイル平均化制御部３０２に出力する。
【００４２】
遅延プロファイル平均化制御部３０２は、一定時間有効パス判定部３０１で指定された位相情報を遅延プロファイル平均化部２０１へ出力する。
【００４３】
その結果、遅延プロファイル平均化部２０１では、実施の形態２と同様に、削除されたパスの遅延プロファイル平均化量を小さくするので、パス選択部１０４では、削除されたパスの再割り当てが迅速に行えるようになる。
【００４４】
このように、本実施の形態３に係るＣＤＭＡ受信装置３００によれば、有効なパスが削除された場合に、そのパスの遅延プロファイル平均化量を小さくすることができるので、削除されたパスが再割り当てされた場合にパスを割り当てるまでの時間を短縮することができる。
【００４５】
（実施の形態４）
図４は、本発明の実施の形態４に係るＣＤＭＡ受信装置の構成を示すブロック図である。なお、図４では、実施の形態１（図１）に示した構成と同一ないしは同等である構成部分には同一符号が付されている。ここでは、実施の形態４に関わる部分を中心に説明する。
【００４６】
図４に示すＣＤＭＡ受信装置４００は、実施の形態１（図１）に示した構成において、遅延プロファイル平均化部１０３に代えて実施の形態２（図２）で示した遅延プロファイル平均化部２０１が設けられ、遅延プロファイル平均化制御部１０７に代えて遅延プロファイル平均化制御部４０１が設けられている。パス選択部１０４の出力は、遅延プロファイル平均化制御部４０１にも入力されている。
【００４７】
以上の構成において、遅延プロファイル平均化制御部４０１は、受信ＳＩＲ測定部１０６にて測定された受信ＳＩＲの劣化量がある閾値を超えた場合にシャドーイング状態と判定し、パス選択部１０４にて削除されたパスを検出し一定時間そのパス位相情報を遅延プロファイル平均化部２０１に出力する。
【００４８】
その結果、遅延プロファイル平均化部２０１では、削除されたパスの遅延プロファイル平均化量を小さくするので、パス選択部１０４では、削除されたパスの再割り当てが迅速に行えるようになる。
【００４９】
このように、本実施の形態４に係るＣＤＭＡ受信装置４００によれば、シャドーイング時に、削除されたパスの遅延プロファイル平均化量を小さくすることができるので、シャドーイング後に削除されたパスが再割り当てされる場合にそのパスを割り当てるまでの時間を短縮することができる。
【００５０】
なお、遅延プロファイル平均化制御部４０１での対象パスを実施の形態３（図３）で示した有効なパスのみとしても良い。この場合には、有効なパスに対してのみ遅延プロファイル平均化量を小さくすることができるので、誤ったパス割り当てをする頻度を減少させることができる。
【００５１】
また、遅延プロファイル平均化制御部４０１にて作成する平均化量を小さくさせる制御情報では、受信ＳＩＲ測定部１０６による受信ＳＩＲの劣化量がある閾値を超え、その後受信ＳＩＲがシャドーイング前とほぼ同等の値に戻った時を指定するとしても良い。この場合には、より正確にシャドーイング時を指令できるので、正しく遅延プロファイル平均化量を小さくすることができる、誤ったパス割り当てをする頻度を減少させることができる。
【００５２】
（実施の形態５）
図５は、本発明の実施の形態５に係るＣＤＭＡ受信装置の構成を示すブロック図である。図５に示すＣＤＭＡ受信装置５００は、受信アンテナ１０１と、マッチドフィルタ１０２と、パス選択部１０４と、保護段数制御部５０１と、パス選択保護部５０２とを備えている。
【００５３】
図５において、受信アンテナ１０１での受信信号は、マッチドフィルタ１０２に入力される。マッチドフィルタ１０２の出力は、パス選択部１０４に入力される。パス選択部１０４の出力は、保護段数制御部５０１とパス選択保護部５０２とに入力される。保護段数制御部５０１の出力は、パス選択保護部５０２に入力される。
【００５４】
以上の構成において、マッチドフィルタ１０２は、受信開始時およびそれからある固定の周期にて、受信アンテナ１０１で受信される受信信号がとりうる範囲での全位相の受信信号と拡散コードとの相関を取り、遅延プロファイルを得る。
【００５５】
パス選択部１０４は、マッチドフィルタ１０２にて取得された遅延プロファイルから有効なパス位相を判定する。
【００５６】
保護段数制御部５０１は、パス選択部１０４にて削除されたパスを検出し、一定時間そのパス位相と同一のパスがパス選択部１０４にて再び選択された場合にパス選択保護部５０２での保護段数を小さくするように制御する。
【００５７】
パス選択保護部５０２は、パス選択部１０４でのパス割り当てまでに後方保護を設ける制御を行い、選択されたパスがいままで割り当てられていなかったパスの場合に、保護段数制御部５０１から指定された保護段数の間、連続してその選択されたパスを割り当てる。
【００５８】
このように、本実施の形態５に係るＣＤＭＡ受信装置５００によれば、削除されたパスが再割り当てされた場合に後方保護段数を小さくするようにしたので、パスを割り当てるまでの時間を短縮することができる。
【００５９】
（実施の形態６）
図６は、本発明の実施の形態６に係るＣＤＭＡ受信装置の構成を示すブロック図である。なお、図６では、実施の形態５（図５）に示した構成と同一ないしは同等である構成部分には同一符号が付されている。ここでは、実施の形態６に関わる部分を中心に説明する。
【００６０】
図６に示すＣＤＭＡ受信装置６００は、実施の形態５（図５）に示した構成において、有効パス判定部６０１が設けられている。それに伴い保護段数制御部５０１に代えて保護段数制御部６０２が設けられている。有効パス判定部６０１は、パス選択部１０４と保護段数制御部６０２との間に設けられている。
【００６１】
以上の構成において、有効パス判定部６０１は、パス選択部１０４にて選択されたパスの中で遅延プロファイルの相関値が最大のパスまたは相関値がある閾値以上のパスの位相情報を一定時間保存し、パスが削除された場合にその削除されたパスの位相情報を一定期間、保護段数制御部６０２に出力する。
【００６２】
保護段数制御部６０２は、パス選択部１０４にて新規設定されたパスを検出し、そのパス位相と有効パス判定部６０１からの削除されたパスの位相情報とが同一の場合に、パス選択保護部５０２での保護段数が小さくなるように制御する。
【００６３】
このように、本実施の形態６に係るＣＤＭＡ受信装置６００によれば、有効なパスが削除されその後同一位相のパスが再割り当てされた場合に保護段数を小さくするようにしたので、パスを割り当てるまでの時間を短縮することができる。
【００６４】
（実施の形態７）
図７は、本発明の実施の形態７に係るＣＤＭＡ受信装置の構成を示すブロック図である。
【００６５】
図７に示すＣＤＭＡ受信装置７００は、受信アンテナ１０１と、マッチドフィルタ１０２と、パス選択部１０４と、逆拡散部１０５と、受信ＳＩＲ測定部１０６と、パス選択保護部５０２と、保護段数制御部７０１とを備えている。
【００６６】
受信アンテナ１０１での受信信号は、マッチドフィルタ１０２と逆拡散部１０５とに入力される。マッチドフィルタ１０２の出力は、パス選択部１０４に入力される。パス選択部１０４の出力は、パス選択保護部５０２と保護段数制御部７０１とに入力される。逆拡散部１０５の出力は、受信ＳＩＲ測定部１０６に入力される。受信ＳＩＲ測定部１０６の出力は、保護段数制御部７０１に入力される。保護段数制御部７０１の出力は、パス選択保護部５０２に入力される。パス選択保護部５０２の出力は、逆拡散部１０５に入力される。
【００６７】
以上の構成において、マッチドフィルタ１０２は、受信開始時およびそれからある固定の周期にて、受信アンテナ１０１で受信される受信信号がとりうる範囲での全位相の受信信号と拡散コードとの相関を取り、遅延プロファイルを得る。
【００６８】
パス選択部１０４は、マッチドフィルタ１０２にて取得された遅延プロファイルから有効なパス位相を判定する。
【００６９】
逆拡散部１０５は、アンテナ１０１から入力される受信信号をパス選択保護部５０２にて割り当てられたパス位相で逆拡散する。
【００７０】
受信ＳＩＲ測定部１０６は、逆拡散部１０５にて逆拡散された受信信号から受信波レベルと干渉波レベルの比、即ち受信ＳＩＲを算出する。
【００７１】
保護段数制御部７０１は、受信ＳＩＲ測定部１０６にて測定された受信ＳＩＲの劣化量がある閾値を超えた場合にシャドーイング状態と判定し、パス選択部１０４にて削除されたパスを検出し、一定時間そのパス位相と同一のパスがパス選択部１０４で選択された場合にパス選択保護部５０２での保護段数が小さくなるように制御する。
【００７２】
パス選択保護部５０２は、パス選択部１０４でのパス割り当てまでに後方保護を設ける制御を行い、選択されたパスがいままで割り当てられていなかったパスの場合に、保護段数制御部７０１から指定された保護段数の間、連続してその選択されたパスを割り当てる。
【００７３】
このように、本実施の形態７に係るＣＤＭＡ受信装置７００によれば、削除されたパスが再割り当てされた場合に後方保護段数を小さくするようにしたので、元のパスを割り当てるまでの時間を短縮することができる。
【００７４】
なお、保護段数制御部７０１での対象パスを実施の形態６で示した有効なパスのみとしても良い。この場合には、有効なパスに対してのみ後方保護段数を小さくすることができるので、誤ったパス割り当てをする頻度を減少させることができる。
【００７５】
また、保護段数制御部７０１での後方保護段数を小さくする制御情報では、受信ＳＩＲ測定部１０６による受信ＳＩＲの劣化量がある閾値を超え、その後受信ＳＩＲがシャドーイング前とほぼ同等の値に戻った時を指定するとしても良い。この場合には、より正確にシャドーイング時を指令できるので、適切に後方保護段数を小さくすることができ、誤ったパス割り当てをする頻度を減少させることができる。
【００７６】
【発明の効果】
以上説明したように、本発明によれば、シャドーイングで受信ＳＩＲが急激に小さくなった場合に遅延プロファイル平均化量を小さくするようにしたので、シャドーイング後のパス割り当てまでの時間が短縮される。したがって、正しいパスを早く再選択することができ、受信信号の誤り量を削減することができる。
【図面の簡単な説明】
【図１】本発明の実施の形態１に係るＣＤＭＡ受信装置の構成を示すブロック図
【図２】本発明の実施の形態２に係るＣＤＭＡ受信装置の構成を示すブロック図
【図３】本発明の実施の形態３に係るＣＤＭＡ受信装置の構成を示すブロック図
【図４】本発明の実施の形態４に係るＣＤＭＡ受信装置の構成を示すブロック図
【図５】本発明の実施の形態５に係るＣＤＭＡ受信装置の構成を示すブロック図
【図６】本発明の実施の形態６に係るＣＤＭＡ受信装置の構成を示すブロック図
【図７】本発明の実施の形態７に係るＣＤＭＡ受信装置の構成を示すブロック図
【符号の説明】
１００、２００、３００、４００、５００、６００、７００　ＣＤＭＡ受信装置
１０１　　受信アンテナ
１０２　　マッチドフィルタ
１０３、２０１　　遅延プロファイル平均化部
１０４　　パス選択部
１０５　　逆拡散部
１０６　　受信ＳＩＲ測定部
１０７、２０２、３０２、４０１　　遅延プロファイル平均化制御部
３０１、６０１　　有効パス判定部
５０１、６０２、７０１　保護段数制御部
５０２　パス選択保護部
【図１】
2004080303.tif 000003
【図２】
2004080303.tif 000004
【図３】
2004080303.tif 000005
【図４】
2004080303.tif 000006
【図５】
2004080303.tif 000007
【図６】
2004080303.tif 000008
【図７】
2004080303.tif 000009